(57)【要約】      （修正有）【課題】ノズル詰まりを抑制可能で、記録媒体上での乾燥状態が良好なインクジェット記録用水性インク。【解決手段】２０℃で液体の成分と、２０℃で固体の成分とを含み、前記液体成分は、第１の水溶性有機溶剤と第２の水溶性有機溶剤と水とを含み、前記第１の水溶性有機溶剤は、２０℃における蒸気圧が７Ｐａ以上であり、前記第２の水溶性有機溶剤は、２０℃における蒸気圧が１Ｐａ以下であり、前記固体成分は、アクリル酸系樹脂、マレイン酸系エステル樹脂、酢酸ビニル系樹脂、カーボネート型樹脂、スチレン系樹脂、エチレン系樹脂、ポリエチレン系樹脂、プロピレン系樹脂、ポリプロピレン系樹脂、ウレタン系樹脂、塩化ビニル系樹脂及びこれらの共重合体樹脂からなる群から選択される少なくとも一つの樹脂を含み、前記第１の水溶性有機溶剤及び前記第２の水溶性有機溶剤の含有量が特定の条件を満たすことを特徴とするインクジェット記録用水性インク。【選択図】なし【特許請求の範囲】
【請求項１】
２０℃で液体の成分と、２０℃で固体の成分と、を含み、
前記液体成分は、第１の水溶性有機溶剤と、第２の水溶性有機溶剤と、水と、を含み、
前記第１の水溶性有機溶剤は、２０℃における蒸気圧が７Ｐａ以上であり、
前記第２の水溶性有機溶剤は、２０℃における蒸気圧が１Ｐａ以下であり、
前記固体成分は、アクリル酸系樹脂、マレイン酸系エステル樹脂、酢酸ビニル系樹脂、カーボネート型樹脂、ポリカーボネート型樹脂、スチレン系樹脂、エチレン系樹脂、ポリエチレン系樹脂、プロピレン系樹脂、ポリプロピレン系樹脂、ウレタン系樹脂、ポリウレタン系樹脂、塩化ビニル系樹脂及びこれらの共重合体樹脂からなる群から選択される少なくとも一つの樹脂を含み、
下記条件（１）及び下記条件（２）を満たす、
ことを特徴とするインクジェット記録用水性インク。
条件（１）：２≦（Ａ＋Ｂ＋Ｃ）／Ｄ≦６
条件（２）：０．２≦（Ｂ＋Ｃ）／Ｄ≦１
Ａ：前記水性インク全量における前記第１の水溶性有機溶剤の含有量（質量％）
Ｂ：前記水性インク全量における前記第２の水溶性有機溶剤の含有量（質量％）
Ｃ：前記水性インク全量における前記第１の水溶性有機溶剤、前記第２の水溶性有機溶剤及び前記水以外の前記液体成分の含有量（質量％）
Ｄ：前記水性インク全量における前記固体成分の含有量（質量％）
【請求項２】
前記第１の水溶性有機溶剤が、プロピレングリコール、１，３−ブタンジオール及びエチレングリコールからなる群から選択される少なくとも一つを含み、
前記第２の水溶性有機溶剤が、トリプロピレングリコール、ジエチレングリコール、グリセリン、１，５−ペンタンジオール、トリエチレングリコール−ｎ−ブチルエーテル及びトリプロピレングリコール−ｎ−ブチルエーテルからなる群から選択される少なくとも一つを含む、請求項１記載のインクジェット記録用水性インク。
【請求項３】
さらに、下記条件（３）を満たす、請求項１又は２記載のインクジェット記録用水性インク。
条件（３）：１０≦Ａ＋Ｂ≦４０
Ａ：前記水性インク全量における前記第１の水溶性有機溶剤の含有量（質量％）
Ｂ：前記水性インク全量における前記第２の水溶性有機溶剤の含有量（質量％）
【請求項４】
前記樹脂が、樹脂微粒子を含む、請求項１〜３のいずれか一項に記載のインクジェット記録用水性インク。
【請求項５】
さらに、着色剤を含む、請求項１〜４のいずれか一項に記載のインクジェット記録用水性インク。
【発明の詳細な説明】
【技術分野】
【０００１】
本発明は、インクジェット記録用水性インクに関する。
【背景技術】
【０００２】
インクジェットヘッドのノズル詰まり抑制及び記録媒体上での乾燥性向上の両立を目的に、融点が５０℃以上且つ水溶性の固体尿素誘導体と、融点が１０℃以下の水溶性液体尿素誘導体と、を含むインクジェット記録用水性インクが提案されている（特許文献１）。
【先行技術文献】
【特許文献】
【０００３】
【特許文献１】特開平１１−２２８８９５号公報
【発明の概要】
【発明が解決しようとする課題】
【０００４】
しかしながら、インクジェット記録用水性インクにおいて、液体成分と、固体成分との種類及び量比の選択によっては、ノズル詰まりの抑制に至らなかったり、記録媒体上での乾燥状態が不良となることがある。
【０００５】
そこで、本発明は、ノズル詰まりを抑制可能で、且つ、記録媒体上での乾燥状態が良好なインクジェット記録用水性インクを提供することを目的とする。
【課題を解決するための手段】
【０００６】
前記目的を達成するために、本発明のインクジェット記録用水性インクは、
２０℃で液体の成分と、２０℃で固体の成分と、を含み、
前記液体成分は、第１の水溶性有機溶剤と、第２の水溶性有機溶剤と、水と、を含み、
前記第１の水溶性有機溶剤は、２０℃における蒸気圧が７Ｐａ以上であり、
前記第２の水溶性有機溶剤は、２０℃における蒸気圧が１Ｐａ以下であり、
前記固体成分は、アクリル酸系樹脂、マレイン酸系エステル樹脂、酢酸ビニル系樹脂、カーボネート型樹脂、ポリカーボネート型樹脂、スチレン系樹脂、エチレン系樹脂、ポリエチレン系樹脂、プロピレン系樹脂、ポリプロピレン系樹脂、ウレタン系樹脂、ポリウレタン系樹脂、塩化ビニル系樹脂及びこれらの共重合体樹脂からなる群から選択される少なくとも一つの樹脂を含み、
下記条件（１）及び下記条件（２）を満たす、
ことを特徴とする。
条件（１）：２≦（Ａ＋Ｂ＋Ｃ）／Ｄ≦６
条件（２）：０．２≦（Ｂ＋Ｃ）／Ｄ≦１
Ａ：前記水性インク全量における前記第１の水溶性有機溶剤の含有量（質量％）
Ｂ：前記水性インク全量における前記第２の水溶性有機溶剤の含有量（質量％）
Ｃ：前記水性インク全量における前記第１の水溶性有機溶剤、前記第２の水溶性有機溶剤及び前記水以外の前記液体成分の含有量（質量％）
Ｄ：前記水性インク全量における前記固体成分の含有量（質量％）
【発明の効果】
【０００７】
本発明のインクジェット記録用水性インクは、前記液体成分と、前記固体成分とを、前記条件（１）及び前記条件（２）を満たすように含有することで、ノズル詰まりを抑制可能で、且つ、記録媒体上での乾燥状態が良好である。
【図面の簡単な説明】
【０００８】
【図１】図１は、本発明のインクジェット記録装置の一例の構成を示す模式図である。
【発明を実施するための形態】
【０００９】
本発明のインクジェット記録用水性インク（以下、「水性インク」又は「インク」と言うことがある。）は、コート紙、プラスチック、フィルム、ＯＨＰシート等の疎水性の記録媒体へのインクジェット記録に好適に利用可能であるが、これに限定されるものではなく、例えば、普通紙、光沢紙、マット紙等の疎水性の記録媒体以外の記録媒体へのインクジェット記録にも利用可能である。本発明において、「コート紙」とは、例えば、上級印刷紙、中級印刷紙等のパルプを主要な構成要素とした普通紙に、平滑性、白色度、光沢度等の向上を目的として、コート剤を塗布したものを言い、具体的には、上級コート紙、中級コート紙等があげられる。
【００１０】
本発明の水性インクについて説明する。本発明の水性インクは、２０℃で液体の成分と、２０℃で固体の成分と、を含む。
【００１１】
前記液体成分は、第１の水溶性有機溶剤と、第２の水溶性有機溶剤と、水と、を含む。
【００１２】
前記第１の水溶性有機溶剤は、２０℃における蒸気圧が７Ｐａ以上である。前記第１の水溶性有機溶剤としては、例えば、プロピレングリコール（以下、「ＰＧ」と言うことがある、２０℃における蒸気圧：１０．６Ｐａ）、１，３−ブタンジオール（２０℃における蒸気圧：８Ｐａ）、エチレングリコール（以下、「ＥＧ」と言うことがある、２０℃における蒸気圧：７Ｐａ）等があげられる。これらの水溶性有機溶剤は、例えば、インクジェットヘッドのノズル先端部における水性インクの乾燥を防止する湿潤剤として機能し得る。
【００１３】
前記第１の水溶性有機溶剤は、１種類を単独で用いてもよいし、２種類以上を併用してもよい。前記水性インク全量における前記第１の水溶性有機溶剤の含有量（Ａ）については、後述する。
【００１４】
前記第２の水溶性有機溶剤は、２０℃における蒸気圧が１Ｐａ以下である。前記第２の水溶性有機溶剤としては、例えば、トリプロピレングリコール（以下、「ＴＰＧ」と言うことがある、２０℃における蒸気圧：０．６７Ｐａ）、ジエチレングリコール（以下、「ＤＥＧ」と言うことがある、２５℃における蒸気圧：０．７６Ｐａ）、グリセリン（以下、「ＧＬＹ」と言うことがある。２５℃における蒸気圧：０．０１Ｐａ）、１，５−ペンタンジオール（２５℃における蒸気圧：０．５２Ｐａ）、トリエチレングリコール−ｎ−ブチルエーテル（以下、「ＢＴＧ」と言うことがある、２５℃における蒸気圧：０．３３Ｐａ）、トリプロピレングリコール−ｎ−ブチルエーテル（以下、「ＴＰｎＢ」と言うことがある、２０℃における蒸気圧：０．０２Ｐａ）等があげられる。ＤＥＧ、ＧＬＹ、１，５−ペンタンジオール、ＢＴＧの蒸気圧としては、２５℃のものを示しているが、２０℃における蒸気圧は、２５℃における蒸気圧よりも小さくなることから、これらの水溶性有機溶剤の蒸気圧は、２０℃において１Ｐａ以下である。前述の水溶性有機溶剤のうち、ＴＰＧ、ＤＥＧ、ＧＬＹ及び１，５−ペンタンジオールは、例えば、前記湿潤剤として機能し得る。また、前述の水溶性有機溶剤のうち、ＢＴＧ及びＴＰｎＢは、例えば、記録媒体上での水性インクの広がりや乾燥速度を調整する浸透剤として機能し得る。
【００１５】
前記第２の水溶性有機溶剤は、１種類を単独で用いてもよいし、２種類以上を併用してもよい。前記水性インク全量における前記第２の水溶性有機溶剤の含有量（Ｂ）については、後述する。
【００１６】
前記水性インクに含まれる水溶性有機溶剤は、前記第１の水溶性有機溶剤及び前記第２の水溶性有機溶剤のみであってもよい。また、前記水性インクは、前記第１の水溶性有機溶剤及び前記第２の水溶性有機溶剤に加え、さらに、それら以外の水溶性有機溶剤を含んでもよい。
【００１７】
前記水は、イオン交換水又は純水であることが好ましい。前記水性インク全量における前記水の含有量は、例えば、２０質量％〜８０質量％である。前記水の含有量は、例えば、他の成分の残部としてもよい。
【００１８】
前記固体成分は、アクリル酸系樹脂、マレイン酸系エステル樹脂、酢酸ビニル系樹脂、カーボネート型樹脂、ポリカーボネート型樹脂、スチレン系樹脂、エチレン系樹脂、ポリエチレン系樹脂、プロピレン系樹脂、ポリプロピレン系樹脂、ウレタン系樹脂、ポリウレタン系樹脂、塩化ビニル系樹脂及びこれらの共重合体樹脂からなる群から選択される少なくとも一つの樹脂を含む。前記樹脂は、１種類を単独で用いてもよいし、２種類以上を併用してもよい。
【００１９】
前記樹脂は、樹脂微粒子を含んでもよい。前記樹脂微粒子のガラス転移温度（Ｔｇ）は、例えば、１００℃以下である。前記樹脂微粒子は、例えば、樹脂エマルションに含まれるものであってもよい。前記樹脂エマルションは、例えば、前記樹脂微粒子と、分散媒（例えば、水等）とで構成されるものであり、前記樹脂微粒子は、前記分散媒に対して溶解状態ではなく、特定の粒子径を持って分散している。
【００２０】
前記樹脂エマルションとしては、例えば、市販品を用いてもよい。前記市販品としては、例えば、ジャパンコーティングレジン（株）製の「モビニール（登録商標）６９６９Ｄ」（Ｔｇ：７１℃）、「モビニール（登録商標）５４５０」（Ｔｇ：５３℃）、「モビニール（登録商標）ＤＭ７７２」（Ｔｇ：２２℃）；昭和電工（株）製の「ポリゾール（登録商標）ＡＰ−３７７０」；第一工業製薬（株）製の「スーパーフレックス（登録商標）１５０」（Ｔｇ：４０℃）；日信化学工業（株）製の「ビニブラン（登録商標）７０１」等があげられる。
【００２１】
前記樹脂微粒子の平均粒子径は、例えば、２０ｎｍ〜３００ｎｍである。前記平均粒子径は、例えば、（株）堀場製作所製の動的光散乱式粒径分布測定装置「ＬＢ−５５０」を用いて、算術平均径として測定可能である。
【００２２】
前記水性インク全量における前記樹脂微粒子の含有量は、例えば、１質量％〜１０質量％である。前記樹脂微粒子は、１種類を単独で用いてもよいし、２種類以上を併用してもよい。
【００２３】
前記水性インクは、着色剤を含む有色インクであってもよいし、着色剤を含まない無色のインクであってもよい。前記有色インクにおいて、前記着色剤は、顔料又は染料のいずれであってもよい。また、前記着色剤として、顔料及び染料を混合して用いてもよい。
【００２４】
前記顔料は、特に限定されず、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系無機顔料及びカーボンブラック系無機顔料等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料：ニトロソ顔料；アニリンブラック昼光蛍光顔料；等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７４、７８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１５０、１６６、１６８、１７５、１７６、１７７、１７８、１８４、１８５、１９０、２０２、２０９、２２１、２２２、２２４及び２３８；Ｃ．Ｉ．ピグメントバイオレット１９及び１９６；Ｃ．Ｉ．ピグメントブルー１、２、３、１５、１５：１、１５：２、１５：３、１５：４、１６、２２及び６０；Ｃ．Ｉ．ピグメントグリーン７及び３６；並びにこれらの顔料の固溶体等があげられる。本発明の水性インクは、前記顔料を分散剤で水に分散させたものであってもよい。前記分散剤としては、例えば、一般的な高分子分散剤（顔料分散用樹脂、樹脂分散剤）等を用いてよく、自家調製してもよい。また、本発明の水性インクにおいて、前記顔料は、高分子によりカプセル化されたものであってもよい。
【００２５】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びこれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報、特表２０１１−５１５５３５号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」等のカーボンブラック等があげられる。前記自己分散型顔料は、例えば、市販品を用いてもよい。前記市販品としては、例えば、キャボット・コーポレーション社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インク製造（株）製の「ＬＩＯＪＥＴ（登録商標）ＷＤ  ＢＬＡＣＫ  ００２Ｃ」等があげられる。
【００２６】
前記水性インク全量における前記顔料の固形分含有量（顔料固形分量）は、特に限定されず、例えば、所望の光学濃度及び彩度等により、適宜決定できる。前記顔料固形分量は、例えば、０．１質量％〜２０質量％、１質量％〜１５質量％、２質量％〜１０質量％である。
【００２７】
前記顔料及び前記顔料分散用樹脂（樹脂分散剤）は、前記固体成分に該当する。
【００２８】
前記染料は、特に限定されず、例えば、直接染料、酸性染料、塩基性染料、反応性染料、食用染料等があげられる。前記染料の具体例としては、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット、Ｃ．Ｉ．リィアクティブブルー、Ｃ．Ｉ．リィアクティブレッド、Ｃ．Ｉ．リィアクティブイエロー、Ｃ．Ｉ．フードブラック、Ｃ．Ｉ．フードレッド、Ｃ．Ｉ．フードイエロー等があげられる。前記Ｃ．Ｉ．ダイレクトブラックとしては、例えば、Ｃ．Ｉ．ダイレクトブラック１７、１９、２２、３１、３２、５１、６２、７１、７４、１０８、１１２、１１３、１４６、１５４、１６８及び１９５等があげられる。前記Ｃ．Ｉ．ダイレクトブルーとしては、例えば、Ｃ．Ｉ．ダイレクトブルー１、６、１５、２２、２５、４１、７１、７６、７７、８０、８６、９０、９８、１０６、１０８、１２０、１５８、１６３、１６８、１９９及び２２６等があげられる。前記Ｃ．Ｉ．ダイレクトレッドとしては、例えば、Ｃ．Ｉ．ダイレクトレッド１、２、４、９、１１、１７、２０、２３、２４、２８、３１、３９、４６、６２、７５、７９、８０、８３、８９、９５、１９７、２０１、２１８、２２０、２２４、２２５、２２６、２２７、２２８、２２９及び２３０等があげられる。前記Ｃ．Ｉ．ダイレクトイエローとしては、例えば、Ｃ．Ｉ．ダイレクトイエロー８、１１、１２、２４、２６、２７、２８、３３、３９、４４、５０、５８、８５、８６、８７、８８、８９、９８、１００、１１０、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉ．ダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、４８、５１、５２、６３、１１０、１１２、１１５、１１８及び１５６等があげられる。前記Ｃ．Ｉ．アシッドブルーとしては、例えば、Ｃ．Ｉ．アシッドブルー１、７、９、１５、２２、２３、２５、２９、４０、４３、５９、６２、７４、７８、８０、９０、９３、１００、１０２、１０４、１１７、１２０、１２７、１３８、１５８、１６１、１６７、２２０及び２３４等があげられる。前記Ｃ．Ｉ．アシッドレッドとしては、例えば、Ｃ．Ｉ．アシッドレッド１、６、８、９、１３、１４、１８、２６、２７、３２、３５、３７、４２、５１、５２、８０、８３、８５、８７、８９、９２、９４、１０６、１１４、１１５、１３３、１３４、１４５、１５８、１８０、１９８、２４９、２５６、２６５、２８９、３１５及び３１７等があげられる。前記Ｃ．Ｉ．アシッドイエローとしては、例えば、Ｃ．Ｉ．アシッドイエロー１、３、７、１１、１７、２３、２５、２９、３６、３８、４０、４２、４４、６１、７１、７６、９８及び９９等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．リィアクティブブルーとしては、例えば、Ｃ．Ｉ．リィアクティブブルー４、５、７、１３、１４、１５、１８、１９、２１、２６、２７、２９、３２、３８、４０、４４及び１００等があげられる。前記Ｃ．Ｉ．リィアクティブレッドとしては、例えば、Ｃ．Ｉ．リィアクティブレッド７、１２、１３、１５、１７、２０、２３、２４、３１、４２、４５、４６及び５９等があげられる。前記Ｃ．Ｉ．リィアクティブイエローとしては、例えば、Ｃ．Ｉ．リィアクティブイエロー２、３、１７、２５、３７及び４２等があげられる。前記Ｃ．Ｉ．フードブラックとしては、例えば、Ｃ．Ｉ．フードブラック１及び２等があげられる。前記Ｃ．Ｉ．フードレッドとしては、例えば、Ｃ．Ｉ．フードレッド８７、９２及び９４等があげられる。前記Ｃ．Ｉ．フードイエローとしては、例えば、Ｃ．Ｉ．フードイエロー３等があげられる。
【００２９】
前記染料は、１種類を単独で用いてもよいし、２種類以上を併用してもよい。前記水性インク全量における前記染料の含有量は、例えば、０．１質量％〜２０質量％、１質量％〜１５質量％、２質量％〜１０質量％である。
【００３０】
前記水性インクは、必要に応じて、さらに、従来公知の添加剤を含んでもよい。前記添加剤としては、例えば、ｐＨ調整剤、粘度調整剤、表面張力調整剤、防黴剤等があげられる。前記粘度調整剤は、例えば、ポリビニルアルコール、セルロース、水溶性樹脂等があげられる。２０℃において液体状の添加剤は、前記液体成分に該当し、２０℃において固体状の添加剤は、前記固体成分に該当する。
【００３１】
前記水性インクは、例えば、前記液体成分と、前記固体成分と、必要に応じて他の添加成分とを、従来公知の方法で均一に混合し、フィルタ等で不溶解物を除去することにより調製できる。
【００３２】
前記水性インクは、下記条件（１）及び下記条件（２）を満たす。前記水性インクは、前記液体成分と、前記固体成分とを、下記条件（１）及び下記条件（２）を満たすように含有することで、ノズル詰まりを抑制可能で、且つ、記録媒体上での乾燥状態が良好である。
条件（１）：２≦（Ａ＋Ｂ＋Ｃ）／Ｄ≦６
条件（２）：０．２≦（Ｂ＋Ｃ）／Ｄ≦１
Ａ：前記水性インク全量における前記第１の水溶性有機溶剤の含有量（質量％）
Ｂ：前記水性インク全量における前記第２の水溶性有機溶剤の含有量（質量％）
Ｃ：前記水性インク全量における前記第１の水溶性有機溶剤、前記第２の水溶性有機溶剤及び前記水以外の前記液体成分の含有量（質量％）
Ｄ：前記水性インク全量における前記固体成分の含有量（質量％）
【００３３】
前記第１の水溶性有機溶剤の含有量（Ａ）、前記第２の水溶性有機溶剤の含有量（Ｂ）、前記第１の水溶性有機溶剤、前記第２の水溶性有機溶剤及び前記水以外の前記液体成分の含有量（Ｃ）及び前記固体成分の含有量（Ｄ）は、前記条件（１）及び前記条件（２）を満たすように、適宜調整すればよい。
【００３４】
前記水性インクは、さらに、下記条件（３）を満たすことが好ましい。
条件（３）：１０≦Ａ＋Ｂ≦４０
Ａ：前記水性インク全量における前記第１の水溶性有機溶剤の含有量（質量％）
Ｂ：前記水性インク全量における前記第２の水溶性有機溶剤の含有量（質量％）
【００３５】
つぎに、本発明のインクジェット記録装置及びインクジェット記録方法について説明する。
【００３６】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。後述のように、本発明のインクジェット記録装置は、さらに、前記インクによる記録部分を乾燥させる乾燥手段を含んでもよい。
【００３７】
本発明のインクジェット記録方法は、記録媒体に水性インクをインクジェット方式により吐出して記録する記録工程を含み、前記記録工程において、前記水性インクとして、本発明のインクジェット記録用水性インクを用いることを特徴とする。本発明のインクジェット記録方法は、さらに、前記記録媒体の記録部分を乾燥する乾燥手段を用いて、前記水性インクを前記記録媒体に定着させる定着工程を含んでもよい。
【００３８】
本発明のインクジェット記録方法は、例えば、本発明のインクジェット記録装置を用いて実施可能である。前記記録は、印字、印画、印刷等を含む。
【００３９】
図１の模式図に、本発明のインクジェット記録装置の一例の構成を示す。図１に示すように、このインクジェット記録装置１００は、給紙トレイ１０１、ローラ等の搬送機構（図示せず）、記録機構１０２Ａ及び１０２Ｂ、プラテン１０３、乾燥手段１０４、排紙トレイ１０５、並びに、インクカートリッジ又はインクタンク等のインク収容部（図示せず）を備えている。給紙トレイ１０１は、積層された複数の記録媒体（例えば、コート紙）Ｐを支持可能である。
【００４０】
前記記録機構は、キャリッジ１０２Ａと、インクジェットヘッド（インク吐出手段）１０２Ｂと、を備えている。キャリッジ１０２Ａは、記録媒体Ｐの搬送方向と垂直に延設された２本のガイドレール（図示せず）に支持されている。前記２本のガイドレールは、インクジェット記録装置１００の筐体（図示せず）に支持されている。キャリッジ１０２Ｂは、前記２本のガイドレールに設けられた公知のベルト機構（図示せず）に連結されている。このベルト機構は、キャリッジモータ（図示せず）によって駆動される。前記ベルト機構に連結されたキャリッジ１０２Ａは、前記キャリッジモータの駆動によって、記録媒体Ｐの搬送方向と垂直方向に往復移動する。
【００４１】
また、キャリッジ１０２Ａからは、前記インク収容部及びインクジェットヘッド１０２Ｂを接続する４本のインクチューブ（図示せず）と、制御基板（図示せず）及びインクジェットヘッド１０２Ｂを電気的に接続するフレキシブルフラットケーブル（図示せず）とが延出されている。前記４本のインクチューブは、前記インク収容部に収容されたイエロー、マゼンタ、シアン及びブラックの４色の水性インクをインクジェットヘッド１０２Ｂに供給する。前記４色の水性インクのうちの少なくとも１つが、本発明のインクジェット記録用水性インクである。前記フレキシブルフラットケーブルは、前記制御基板から出力される制御信号をインクジェットヘッド１０２Ｂに伝達する。
【００４２】
インクジェットヘッド１０２Ｂは、図１に示すように、キャリッジ１０２Ａに搭載されている。インクジェットヘッド１０２Ｂの下面には、複数のノズル１０２Ｃが形成されている。複数のノズル１０２Ｃの先端は、キャリッジ１０２Ａ及びインクジェットヘッド１０２Ｂの下面から露出されている。インクジェットヘッド１０２Ｂは、前記インク収容部から前記インクチューブを介してインクジェットヘッド１０２Ｂに供給された水性インクを吐出する力を付与するためのアクチュエータ（図示せず）を有している。前記アクチュエータは、圧電素子方式、サーマルインク方式、静電吸引方式等、いかなる方式であってもよい。キャリッジ１０２Ａが記録媒体Ｐの搬送方向と垂直方向に往復移動する過程において、インクジェットヘッド１０２Ｂは、複数のノズル１０２Ｃから水性インクを微小なインク滴として吐出する。これにより、記録媒体Ｐに画像が記録される。インクジェット記録装置１００は、水性インクの乾燥を防止するために、記録が終了するとリセット位置に戻されるインクジェットヘッド１０２Ｂの複数のノズル１０２Ｃを覆うキャップ（図示せず）を有してもよい。プラテン１０３は、前記記録機構と対向するように配置されており、給紙トレイ１０１から搬送されてきた記録媒体Ｐを支持する。
【００４３】
乾燥手段１０４は、記録媒体Ｐの記録部分を加熱乾燥する。この乾燥時の温度は、乾燥手段１０４の設定変更により適宜調整可能であり、具体的には、例えば、２０℃〜２００℃、５０℃〜１００℃である。また、前記乾燥の時間も、乾燥手段１０４の設定変更により適宜調整可能であり、例えば、０秒を超えて３００秒以下、０．１秒〜６０秒、３０秒〜６０秒である。乾燥手段１０４は、前記記録部分を乾燥可能なものであればいかなるものであってもよい。乾燥手段１０４としては、例えば、市販のドライヤー、赤外線ヒーター、オーブン、ベルトコンベアオーブン、アイロン、ホットプレス機等があげられ、ドライヤー、赤外線ヒーター、オーブン、ベルトコンベアオーブン等の記録媒体Ｐの記録部分に接触することなく前記記録部分を乾燥する非接触乾燥手段が好ましい。
【００４４】
記録・乾燥後の記録媒体Ｐは、排紙トレイ１０５へと搬送される。
【実施例】
【００４５】
つぎに、本発明の実施例について比較例と併せて説明する。なお、本発明は、下記の実施例及び比較例により限定及び制限されない。
【００４６】
〔樹脂分散剤の調製〕
滴下漏斗、冷却器及び攪拌機を備えたフラスコに、窒素雰囲気下にて、Ｔｅｒａｔｈａｎｅ（登録商標）６５０（Ｉｎｖｉｓｔａ（Ｗｉｃｈｉｔａ，ＫＳ）製のポリエーテルジオール）１３５ｇ、２，２’−ジメチロールプロパン酸（ＤＭＰＡ）５４ｇ、スルホラン１３２ｇ及びジブチルスズジラウレート（ＤＢＴＤＬ）０．０６ｇを加え、混合しながら６０℃に加熱し、更に十分に混合した。この混合物に、ｍ−テトラメチレンキシリレンジイソシアネート（ＴＭＸＤＩ）１６４ｇを滴下漏斗によって加え、滴下漏斗中の残存ＴＭＸＤＩをスルホラン１５ｇでフラスコ中にリンスした。温度を１００℃に上げ、イソシアネート含有率が１．３質量％以下に達するまで１００℃に維持した。つぎに、温度を６０℃まで下げ、ジエタノールアミン（ＤＥＡ）１２．９ｇを５分に亘って滴下漏斗によって加え、滴下漏斗中の残存ＤＥＡをスルホラン５ｇでフラスコ中にリンスするまでの間、６０℃に維持した。さらに、温度を６０℃に１時間保持した後、３質量％水酸化カリウム水溶液３７６ｇを滴下漏斗によって１０分に亘って加え、さらに、脱イオン水５７０ｇを加えた。その後、６０℃に１時間維持し、室温に冷却して、固形分が２４質量％の樹脂分散剤を得た。
【００４７】
〔黒色顔料分散液の調製〕
前記樹脂分散剤を、水への溶解度を高め、水への溶解を容易にするために、水酸化カリウムで中和した。つぎに、高圧圧縮空気式Ｍｉｃｒｏｆｌｕｉｄｉｚｅｒ（Ｍｏｄｅｌ  Ｍ−１１０Ｙ、Ｍｉｃｒｏｆｌｕｉｄｉｃｓ  ｏｆ  Ｎｅｗｔｏｎ（Ｍａｓｓａｃｈｕｓｅｔｔｓ）製）を用いて、カーボンブラック（Ｃ．Ｉ．ピグメントブラック７）の含有量が約２７質量％であり、カーボンブラックの含有量（Ｐ）と、樹脂分散剤の含有量（Ｄ）との質量比が、Ｐ／Ｄ＝３の混合物を製造した。その後、最適媒体ミル粉砕条件のために、脱イオン水の添加によって、カーボンブラックの含有量を約２４質量％とし、４時間かけて粉砕した。粉砕後、脱イオン水を加え、十分に混合した。つぎに、不純物をろ過して取り除いた後、脱イオン水での希釈によって、カーボンブラックの含有量を１５質量％とすることにより、黒色顔料分散液を得た。
【００４８】
〔青色顔料分散液の調製〕
前記樹脂分散剤を、水への溶解度を高め、水への溶解を容易にするために、水酸化カリウムで中和した。つぎに、ビーズミル式のＥｉｇｅｒ  Ｍｉｎｉｍｉｌｌ（Ｍｏｄｅｌ  Ｍ２５０，ＶＳＥ  ＥＸＰ、Ｅｉｇｅｒ  Ｍａｃｈｉｎｅｒｙ  Ｉｎｃ．（Ｃｈｉｃａｇｏ，Ｉｌｌｉｎｏｉｓ）製）を用いて、青色顔料（Ｃ．Ｉ．ピグメントブルー１５：３）の含有量が約２７質量％であり、青色顔料の含有量（Ｐ）と、樹脂分散剤の含有量（Ｄ）との質量比が、Ｐ／Ｄ＝３の混合物を製造した。その後、最適媒体ミル粉砕条件のために、脱イオン水の添加によって、青色顔料の含有量を約１８質量％とし、４時間かけて粉砕した。粉砕後、脱イオン水を加え、十分に混合した。つぎに、不純物をろ過して取り除いた後、脱イオン水での希釈によって、青色顔料の含有量を１５質量％とすることにより、青色顔料分散液を得た。
【００４９】
〔赤色顔料分散液の調製〕
青色顔料に代えて、赤色顔料（Ｃ．Ｉ．ピグメントレッド１２２）を用いたこと以外は、前記青色顔料分散液の調製と同様にして、赤色顔料分散液を得た。
【００５０】
〔黄色顔料分散液の調製〕
前記樹脂分散剤を、水への溶解度を高め、水への溶解を容易にするために、水酸化カリウムで中和した。つぎに、ビーズミル式のＥｉｇｅｒ  Ｍｉｎｉｍｉｌｌ（Ｍｏｄｅｌ  Ｍ２５０，ＶＳＥ  ＥＸＰ、Ｅｉｇｅｒ  Ｍａｃｈｉｎｅｒｙ  Ｉｎｃ．（Ｃｈｉｃａｇｏ，Ｉｌｌｉｎｏｉｓ）製）を用いて、黄色顔料（Ｃ．Ｉ．ピグメントイエロー７４）の含有量が約３０質量％であり、黄色顔料の含有量（Ｐ）と、樹脂分散剤の含有量（Ｄ）との質量比が、Ｐ／Ｄ＝５の混合物を製造した。その後、最適媒体ミル粉砕条件のために、脱イオン水の添加によって、黄色顔料の含有量を約２０質量％とし、４時間かけて粉砕した。粉砕後、脱イオン水を加え、十分に混合した。つぎに、不純物をろ過して取り除いた後、脱イオン水での希釈によって、黄色顔料の含有量を１５質量％とすることにより、黄色顔料分散液を得た。
【００５１】
［実施例１〜７、９及び比較例１〜４］
水性インク組成（表１）における、顔料分散液を除く成分を、均一に混合しインク溶媒を得た。つぎに、顔料分散液に、前記インク溶媒を加え、均一に混合した。その後、得られた混合物を、東洋濾紙（株）製のセルロースアセテートタイプメンブレンフィルタ（孔径３．００μｍ）でろ過することで、表１に示す実施例１〜７、９及び比較例１〜４のインクジェット記録用水性インクを得た。
【００５２】
［実施例８］
水性インク組成（表１）の各成分を、均一に混合した。その後、得られた混合物を、東洋濾紙（株）製のポリテトラフルオロエチレン（ＰＴＦＥ）タイプメンブレンフィルタ（孔径：０．２０μｍ）を用いてろ過することで、表１に示す実施例８のインクジェット記録用水性インクを得た。実施例８の水性インクは、着色剤を含まない無色のインク（クリアインク）である。
【００５３】
実施例１〜９及び比較例１〜４の水性インクについて、（ａ）ノズル詰まり評価、（ｂ）乾燥性評価、（ｃ）可撓性・伸張性評価及び（ｄ）耐擦・ブロッキング性評価を、下記方法により実施した。
【００５４】
（ａ）ノズル詰まり評価
ブラザー工業（株）製のインクジェットプリンタＭＦＣ−Ｊ４２２５Ｎのインクジェットヘッドにキャップをせずに所定時間放置した後、実施例及び比較例の水性インクを吐出し、ノズル詰まりを、下記評価基準に従って評価した。
【００５５】
ノズル詰まり評価  評価基準
ＡＡ：キャップをせずに３０分放置したインクジェットヘッドから問題なく水性インクが吐出した。
Ａ  ：キャップをせずに３０分放置したインクジェットヘッドからの水性インクの吐出には問題があったが、１５分放置では問題なく吐出した。
Ｂ  ：キャップをせずに１５分放置したインクジェットヘッドからの水性インクの吐出に問題があった。
【００５６】
（ｂ）乾燥性評価
前記インクジェットプリンタＭＦＣ−Ｊ４２２５Ｎを使用して、実施例及び比較例の水性インクを用いて、コート紙（王子製紙（株）製の「ＯＫトップコート＋」）に対して記録した画像を、条件を変えて乾燥させ、速乾性を、下記評価基準に従って評価した。
【００５７】
乾燥性評価  評価基準
ＡＡ：１００℃、６０秒の条件で水性インクが乾燥した。
Ａ  ：１００℃、６０秒の条件では水性インクが乾燥しなかったが、１００℃、１２０秒の条件では水性インクが乾燥した。
Ｂ：１００℃、１２０秒の条件では水性インクが乾燥しなかった。
【００５８】
（ｃ）可撓性・伸張性評価
前記インクジェットプリンタＭＦＣ−Ｊ４２２５Ｎを使用して、実施例及び比較例の水性インクを用いて、コート紙（王子製紙（株）製の「ＯＫトップコート＋」）に対して画像を記録した記録物を湾曲させ、可撓性・伸張性を、下記評価基準に従って評価した。
【００５９】
ノズル詰まり評価  評価基準
ＡＡ：記録物を湾曲させても、画像が乱れなかった。
Ａ  ：記録物を湾曲させると、水性インクが剥離することはなかったが、微かにひび割れ部分があった。
Ｂ  ：記録物を湾曲させると、水性インクが微かに剥離した部分があった。
【００６０】
（ｄ）耐擦・ブロッキング性評価
前記インクジェットプリンタＭＦＣ−Ｊ４２２５Ｎを使用して、実施例及び比較例の水性インクを用いて、コート紙（王子製紙（株）製の「ＯＫトップコート＋」）に対して画像を記録した記録物を指で触って、耐擦・ブロッキング性を、下記評価基準に従って評価した。
【００６１】
耐擦・ブロッキング性評価  評価基準
ＡＡ：記録物の画像を指で触っても、べたついた感じがなかった。
Ａ  ：記録物の画像を指で触ると、少しべたついた感じがあったが、水性インクが指に移ることはなかった。
Ｂ  ：記録物の画像を指で触ると、べたついた感じがあり、水性インクが少し指に移った。
【００６２】
実施例１〜９及び比較例１〜４の水性インク組成及び評価結果を、表１に示す。
【００６３】
【表１】
2020196779.tif 000002
【００６４】
表１に示すとおり、実施例１〜９では、ノズル詰まり、乾燥性、可撓性・伸張性及び耐擦・ブロッキング性の全ての評価結果が良好であった。
【００６５】
一方、（Ａ＋Ｂ＋Ｃ）／Ｄ＜２且つ（Ｂ＋Ｃ）／Ｄ＜０．２であり、前記条件（１）及び前記条件（２）を満たさない比較例１では、ノズル詰まり及び可撓性・伸張性の評価結果が悪かった。また、（Ａ＋Ｂ＋Ｃ）／Ｄ＜２且つ（Ｂ＋Ｃ）／Ｄ＞１であり、前記条件（１）及び前記条件（２）を満たさない比較例２では、ノズル詰まり及び耐擦・ブロッキング性の評価結果が悪かった。そして、（Ａ＋Ｂ＋Ｃ）／Ｄ＞６且つ（Ｂ＋Ｃ）／Ｄ＞１であり、前記条件（１）及び前記条件（２）を満たさない比較例３では、乾燥性及び耐擦・ブロッキング性の評価結果が悪かった。さらに、（Ａ＋Ｂ＋Ｃ）／Ｄ＞６且つ（Ｂ＋Ｃ）／Ｄ＜０．２であり、前記条件（１）及び前記条件（２）を満たさない比較例４では、乾燥性及び可撓性・伸張性の評価結果が悪かった。
【００６６】
上記実施形態及び実施例の一部又は全部は、以下の付記のようにも記載し得るが、以下には限定されない。
（付記１）
２０℃で液体の成分と、２０℃で固体の成分と、を含み、
前記液体成分は、第１の水溶性有機溶剤と、第２の水溶性有機溶剤と、水と、を含み、
前記第１の水溶性有機溶剤は、２０℃における蒸気圧が７Ｐａ以上であり、
前記第２の水溶性有機溶剤は、２０℃における蒸気圧が１Ｐａ以下であり、
前記固体成分は、アクリル酸系樹脂、マレイン酸系エステル樹脂、酢酸ビニル系樹脂、カーボネート型樹脂、ポリカーボネート型樹脂、スチレン系樹脂、エチレン系樹脂、ポリエチレン系樹脂、プロピレン系樹脂、ポリプロピレン系樹脂、ウレタン系樹脂、ポリウレタン系樹脂、塩化ビニル系樹脂及びこれらの共重合体樹脂からなる群から選択される少なくとも一つの樹脂を含み、
下記条件（１）及び下記条件（２）を満たす、
ことを特徴とするインクジェット記録用水性インク。
条件（１）：２≦（Ａ＋Ｂ＋Ｃ）／Ｄ≦６
条件（２）：０．２≦（Ｂ＋Ｃ）／Ｄ≦１
Ａ：前記水性インク全量における前記第１の水溶性有機溶剤の含有量（質量％）
Ｂ：前記水性インク全量における前記第２の水溶性有機溶剤の含有量（質量％）
Ｃ：前記水性インク全量における前記第１の水溶性有機溶剤、前記第２の水溶性有機溶剤及び前記水以外の前記液体成分の含有量（質量％）
Ｄ：前記水性インク全量における前記固体成分の含有量（質量％）
（付記２）
前記第１の水溶性有機溶剤が、プロピレングリコール、１，３−ブタンジオール及びエチレングリコールからなる群から選択される少なくとも一つを含み、
前記第２の水溶性有機溶剤が、トリプロピレングリコール、ジエチレングリコール、グリセリン、１，５−ペンタンジオール、トリエチレングリコール−ｎ−ブチルエーテル及びトリプロピレングリコール−ｎ−ブチルエーテルからなる群から選択される少なくとも一つを含む、付記１記載のインクジェット記録用水性インク。
（付記３）
さらに、下記条件（３）を満たす、付記１又は２記載のインクジェット記録用水性インク。
条件（３）：１０≦Ａ＋Ｂ≦４０
Ａ：前記水性インク全量における前記第１の水溶性有機溶剤の含有量（質量％）
Ｂ：前記水性インク全量における前記第２の水溶性有機溶剤の含有量（質量％）
（付記４）
前記樹脂が、樹脂微粒子を含む、付記１〜３のいずれかに記載のインクジェット記録用水性インク。
（付記５）
さらに、着色剤を含む、付記１〜４のいずれかに記載のインクジェット記録用水性インク。
（付記６）
インク収容部及びインク吐出手段を含み、前記インク収容部に収容されたインクを前記インク吐出手段によって吐出するインクジェット記録装置であって、
前記インク収容部に、付記１〜５のいずれかに記載のインクジェット記録用水性インクが収容されている、
ことを特徴とするインクジェット記録装置。
（付記７）
さらに、前記インクによる記録部分を乾燥させる乾燥手段を含む、付記６記載のインクジェット記録装置。
（付記８）
記録媒体に水性インクをインクジェット方式により吐出して記録する記録工程を含み、
前記記録工程において、前記水性インクとして、付記１〜５のいずれかに記載のインクジェット記録用水性インクを用いる、
ことを特徴とするインクジェット記録方法。
（付記９）
さらに、前記記録媒体の記録部分を乾燥する乾燥手段を用いて、前記水性インクを前記記録媒体に定着させる定着工程を含む、付記８記載のインクジェット記録方法。
【産業上の利用可能性】
【００６７】
以上のように、本発明の水性インクは、ノズル詰まりを抑制可能で、且つ、記録媒体上での乾燥状態が良好なものである。本発明の水性インクの用途は、コート紙等の疎水性の記録媒体へのインクジェット記録に限定されず、普通紙、光沢紙、マット紙等の各種記録媒体へのインクジェット記録に広く適用可能である。
【符号の説明】
【００６８】
１００    インクジェット記録装置
１０１    給紙トレイ
１０２Ａ  キャリッジ
１０２Ｂ  インクジェットヘッド（インク吐出手段）
１０２Ｃ  ノズル
１０３    プラテン
１０４    乾燥手段
１０５    排紙トレイ
【図１】
2020196779.tif 000003